(57)【要約】      （修正有）【課題】周囲を照らすことができ、照らす方向を自在に調節できて、取り付けが簡単なＬＥＤ灯具を提供する。【解決手段】本ＬＥＤ灯具は、灯具本体１の正面に配置された複数のＬＥＤ３と、前記灯具本体に装填されるボタン電池と、前記複数のＬＥＤの点滅と点灯を切り換える操作スイッチ４と、前記灯具本体の下部に取り付けられるクリップ２と、前記灯具本体の正面の向きを上下方向に角度調節する回動軸と、前記灯具本体の正面の向きを左右方向に角度調節する回転台とを備える。【選択図】図１
0003158419.tif 000002
【実用新案登録請求の範囲】
【請求項１】
灯具本体の正面に配置された複数のＬＥＤと、
前記灯具本体に装填されるボタン電池と、
前記複数のＬＥＤの点滅と点灯を切り換える操作スイッチと、
前記灯具本体の下部に取り付けられるクリップと、
前記灯具本体の正面の向きを上下方向に角度調節する回動軸と、
前記灯具本体の正面の向きを左右方向に角度調節する回転台と、が備えられることを特徴とするＬＥＤ灯具。
【請求項２】
前記クリップの底部に、さらに磁石が取り付けられることを特徴とする請求項１に記載のＬＥＤ灯具。
【請求項３】
前記ボタン電池を搭載する電池ホルダーが設けられ、前記灯具本体にスライドして着脱されることを特徴とする請求項１に記載のＬＥＤ灯具。
【考案の詳細な説明】
【技術分野】
【０００１】
本考案は、カバンなどに取り付けて携帯するＬＥＤ灯具に係り、より詳細には、取り付け角度が調節可能で、ＬＥＤの点滅と点灯が切り換えられるＬＥＤ灯具に関する。
【背景技術】
【０００２】
特許文献１には、携帯用の小型軽量の交通安全灯具が示されている。この交通安全灯具は、ペンダント型のケースの中に電池と２個の点滅する発光ダイオード（ＬＥＤ）が組み込まれたものである。
【０００３】
特許文献２には、歩行者の安全灯として使用できる自動点滅ＬＥＤ灯装置が示される。自動点滅する１個のＬＥＤと電池からなり、キーホルダー付きのアクセサリー人形などに組み込んで使用する。ねじと帯金からなる固定金具で自転車のハンドル等に取り付けて使用することもできる。
【０００４】
ＬＥＤの個数を１個または２個からさらに増やし、利便性をさらに向上させることが考えられる。ＬＥＤが多数備えられれば周囲を照らすことができるので、ＬＥＤには点滅と点灯が必要になる。ＬＥＤを点灯させる場合、照明の向きすなわち角度を調節できることが望まれる。しかしながら、特許文献１、２のＬＥＤ灯具には点滅のみで点灯がなく、また、紐や鎖あるいはキーホルダーに吊り下げて使用するので、向きが固定されず照らす方向を一定にできない。ＬＥＤ灯具を固定金具で固定すると、照らす方向を簡単には調節できない。
【先行技術文献】
【特許文献】
【０００５】
【特許文献１】実開平７−３４５０１号公報
【特許文献２】実開平７−２９７０１号公報
【考案の概要】
【考案が解決しようとする課題】
【０００６】
本考案の目的は、周囲を照らすことができ、照らす方向を自在に調節できて、取り付けが簡単なＬＥＤ灯具を提供することにある。
【課題を解決するための手段】
【０００７】
本考案によるＬＥＤ灯具は、灯具本体の正面に配置された複数のＬＥＤと、前記灯具本体に装填されるボタン電池と、前記複数のＬＥＤの点滅と点灯を切り換える操作スイッチと、前記灯具本体の下部に取り付けられるクリップと、前記灯具本体の正面の向きを上下方向に角度調節する回動軸と、前記灯具本体の正面の向きを左右方向に角度調節する回転台と、が備えられることを特徴とする。
【０００８】
前記クリップの底部に、さらに磁石が取り付けられることを特徴とする。
【０００９】
前記ボタン電池を搭載する電池ホルダーが設けられ、前記灯具本体にスライドして着脱されることを特徴とする。
【考案の効果】
【００１０】
本考案によるＬＥＤ灯具によれば、（１）操作スイッチの押下によりＬＥＤの点滅と点灯を切り換えるようにしたので、点滅による視認性の向上に加え、点灯によって周囲を照らすことができる。ＬＥＤの点灯は歩道が暗くて見えにくいような場合に便利である。（２）クリップを設けたので、帽子、衣服、カバン、ブックエンド、自転車などへの取り付けが簡単で、紐や鎖あるはキーホルダーとは異なり、ＬＥＤの照らす方向を一定にできる。（３）灯具本体を上下方向に角度調節する回動軸と、左右方向に角度調節する回転台を設けたので、クリップの向きにかかわらずＬＥＤ灯具の向きを自在に変更できる。
【００１１】
クリップの底部に磁石を設けたので、クリップで挟みにくい場所でも金属のものであれば簡単にＬＥＤ灯具を取り付けできる。
【００１２】
ボタン電池を搭載する電池ホルダーが設けられ、灯具本体にスライドして着脱するようにしたので、電池の交換が工具なしで簡単にできる。
【図面の簡単な説明】
【００１３】
【図１】本考案によるＬＥＤ灯具の斜視図である。（実施例）
【図２】図１のクリップの斜視図である。
【図３】図１の灯具本体を斜め後方から見た斜視図である。
【図４】図１の灯具本体に使用される電池ホルダーの斜視図である。
【図５】図１のＬＥＤの点灯および点滅の制御表である。
【図６】図１の電池ホルダーの取り出しを説明する図である。
【図７】図１の電池ホルダーの取り付けを説明する図である。
【図８】本考案によるＬＥＤ灯具の装着例を示す図である。
【考案を実施するための形態】
【００１４】
以下、図面を参照して、本発明によるＬＥＤ灯具を説明する。
【実施例】
【００１５】
図１は、本考案によるＬＥＤ灯具の斜視図である。ＬＥＤ灯具１００は、灯具本体１とクリップ２からなる。灯具本体１の正面には、６個の白色のＬＥＤ３が設けられる。ＬＥＤ３の色は、白色に限らず、青色、赤色とすることもできる。灯具本体１の上部には、ＬＥＤ３を点滅と点灯を切り換える操作スイッチ４が設けられる。灯具本体１の後部には、電池ホルダー１１が嵌め込まれており、ノブ１１ｂを押して電池ホルダーをスライドし引き出すことができる。矢印ｒ１は、灯具本体１を上下方向に角度調節できることを示す。矢印ｒ２は、灯具本体１を左右方向に角度調節できることを示す。なお、灯具本体１の内部は図示しないが、小型の基板があって、基板にはＬＥＤ３と操作スイッチ４と制御チップが搭載される。基板への給電は電池ホルダー１１に保持したボタン電池から行なっている。寸法は、これに限られるものではないが、左右が５ｃｍ、奥行きが５ｃｍ、高さが３ｃｍとしている。
【００１６】
図２は、図１のクリップ２の斜視図である。クリップ２は上板２ａと下板２ｂとばね２ｃからなる。上板２ａと下板２ｂで挟み込むことで、簡単にＬＥＤ灯具１００の取り付けができる。クリップ２の上板２ａには、灯具本体１を矢印ｒ２で示す左右方向に角度調節する回転台１６が嵌め込まれている。これにより灯具本体１のスイーベル（ｓｗｉｖｅｌ）が可能である。回転台１６には、２つの受け座１６ａが立設される。受け座１６ａの軸孔に灯具本体１の取り付け脚６が連結される。なお図示しないが、回転台１６には山谷部が設けられ、これに対向する上板２ａの側には突起がある。突起と谷を互いに係合させ、回転台１６が回転した時、突起が山を越える抵抗を大きくして、その回転角度を保持している。
【００１７】
図２に示すように、クリップ２の下板２ｂには、磁石１２が組み込まれている。これにより壁などのクリップ２では取り付けにくい場所でも、壁が金属であれば簡単にＬＥＤ灯具１００を取り付けることができる。
【００１８】
図３は、図１の灯具本体を斜め後方から見た斜視図である。灯具本体１の後部には、左右にノブ１１ｂを有する電池ホルダー１１が嵌め込まれる。灯具本体１の底部には、回動軸７を有する２つの取付け脚６が設けられる。回動軸７は図２の回転台１６の受け座１６ａの軸孔に嵌め込まれる。灯具本体１は、回動軸７を中心に回動できる。これにより、灯具本体１は矢印ｒ１で示すように、上下方向の角度調節ができる。いわゆるチルト（ｔｉｌｔ）が可能である。
【００１９】
取付け脚６は、下部が円孤状とされ、山谷部８が形成されている。一方、回転台１６には、係止突起９が設けられる。係止突起９と山谷部８の谷が互いに係合して、回動によって係止突起９が山谷部８の山を越える抵抗を大きくして、上下方向の角度を保持している。
【００２０】
図４は、図１の灯具本体に使用される電池ホルダーの斜視図である。電池ホルダー１１は、左右にノブ１１ｂが設けられ、ノブ１１ｂの前方側にフック１１ａが設けられる。中央は円形でボタン電池１０を２つ保持できる半円形の保持部が設けられる。ボタン電池１０はリチウム電池とした。この電池によれば約５０ｈを使用することができる。左右のノブ１１ｂを押すと、矢印で示す方向にフック１１ａが動いてロックが外れるので、電池ホルダー１１をスライドさせながら灯具本体１から引き出すことができる。また、電池ホルダー１１をスライドさせながら灯具本体１に押し込むと、フック１１ａがロック部の先端にかかって、ノブ１１ｂを押しながら引き出さない限りロック状態が保持される。
【００２１】
図５は、図１のＬＥＤの点灯および点滅の制御表である。制御表の上段横軸のＬＥＤａ〜ＬＥＤｆは、図１の左端から右端に至る６個のＬＥＤ３を示す。制御表の左側縦軸は、ＬＥＤ３の５つの表示状態Ｓ１〜Ｓ５を示す。表示状態Ｓ１〜Ｓ５は、操作スイッチ４を１回押下する毎に遷移する。操作スイッチ４を５回押下すると元の制御状態Ｓ１に戻る。Ｓ１はすべてのＬＥＤを消灯とした。Ｓ２はＬＥＤａとＬＥＤｆの２つを点灯させる。Ｓ３はＬＥＤｂ〜ＬＥＤｅの中４つを点灯させる。Ｓ４はＬＥＤａ〜ＬＥＤｆのすべてを点灯させる。Ｓ５はＬＥＤａ〜ＬＥＤｆのすべてを点滅させる。
【００２２】
Ｓ２〜Ｓ４に示すように、ＬＥＤ３を点灯させたので、周囲を照らすことができる。夕方や夜の暗さに応じて点灯させるＬＥＤの個数を選択できる。点滅はすべてのＬＥＤを点滅としたが、１個あるいは２個を点滅させながら移動させるとしてもよい。
【００２３】
図６は、電池ホルダー１１の取り出しを説明する図である。（Ａ）はノブ１１ｂを押下してロックを解除している場合を示す。（Ｂ）はスライドさせて灯具本体１から引き出している場合を示す。図７は、電池ホルダー１１の取り付けを説明する図である。（Ａ）は電池ホルダー１１をスライドさせて押し込んでいる場合を示す。（Ｂ）は灯具本体１への装着が完了した場合を示す。電池ホルダーの取り出しまたは取り付けは、ロックする操作と電池ホルダー１１をスライドさせる操作をまとめたので、２回の操作ではなく１回の操作でできる。
【００２４】
図８は、本考案によるＬＥＤ灯具の装着例を示す。（Ａ）は、帽子に装着した場合を示す。図１でＬＥＤ灯具１００のクリップ２を後方に回し、灯具本体１を前向きして、つばの先端をクリップ２で挟んでいる。クリップ２には突起があるのでＬＥＤ灯具１００がつばから落ちることはない。（Ｂ）は自転車に装着した場合を示す。図１でＬＥＤ灯具１００のクリップ２が真下を向くように回動し、自転車のかごの上端をクリップ２で挟んでいる。ブレーキワイヤに取り付けてもよい。（Ｃ）は人体（衣服）に装着した場合を示す。これらの例に限らず、金属の表面などに磁石１２でＬＥＤ灯具１００を取り付けることもできる。
【産業上の利用可能性】
【００２５】
本考案は、ＬＥＤの点滅と地面などを照らす点灯を可能としたので、交通安全グッズとして好適である。
【符号の説明】
【００２６】
１    灯具本体
２    クリップ
２ａ    上板
２ｂ    下板
２ｃ    ばね
３    ＬＥＤ
４    操作スイッチ
６    取付け脚
７    回動軸
８    山谷部
９    係止突起
１０    ボタン電池
１１    電池ホルダー
１１ａ    フック
１１ｂ    ノブ
１２    磁石
１６    回転台
１６ａ    受け座
１００    ＬＥＤ灯具
ｒ１    上下方向に角度調節
ｒ２    左右方向に角度調節
【図１】
0003158419.tif 000003
【図２】
0003158419.tif 000004
【図３】
0003158419.tif 000005
【図４】
0003158419.tif 000006
【図５】
0003158419.tif 000007
【図６】
0003158419.tif 000008
【図７】
0003158419.tif 000009
【図８】
0003158419.tif 000010